(57)【特許請求の範囲】
【請求項１】
磁気ギャップを有する磁気回路と、この磁気回路に結合されたトラック型もしくは楕円型などの細長型のフレームと、このフレームの周縁に結合されると共に中心部に上記磁気ギャップにはめ込まれるボイスコイルを結合したトラック型の細長型の振動板と、上記ボイスコイルのボビンの先端と上記トラック型の振動板の不要共振の発生しやすい長径方向の側面部とに結合されるサブコーンとを備え、上記サブコーンの上記トラック型の振動板の不要共振の発生しやすい長径方向の側面部と結合する幅寸法が、上記ボイスコイルのボビンの先端と結合する幅寸法よりも長くなるように構成されるスピーカ。
【請求項２】
サブコーンとして振動板に結合する部分を振動板の形状に合せた曲面状の端面部をもったものとした請求項１記載のスピーカ。
【発明の詳細な説明】
【０００１】
【発明の属する技術分野】
本発明は各種音響機器、映像機器に使用される細長型のスピーカに関するものである。
【０００２】
【従来の技術】
従来のスピーカについて図４により説明する。図４は従来のトラック型のスピーカの短径方向の断面を示したものである。
【０００３】
同図によると、マグネット１を上部プレート２および下部プレート３によりはさみ込んで構成された磁気回路４の上記上部プレート２にトラック型のフレーム６を結合し、このフレーム６の周縁部にコーン７をエッジ８によりクランプした構成の振動板９を接着し、この振動板９を駆動させるためのボイスコイル１０の中間部をダンパー１１にて中心保持し磁気ギャップ５にはまり込むように振動板９の中央部に結合し、ボイスコイル１０の上面にダストキャップ１２を接着して構成していた。
【０００４】
【発明が解決しようとする課題】
しかしながら、従来のトラック型、楕円型のスピーカは、音圧レベルを向上させる目的からそのコーン７の形状が薄くてしかも軽量化されており、形状剛性が小さく一般的に材厚の薄いコーンになっているため振動板が振幅した時、このコーン７に不要の共振が発生し周波数特性を乱したり、ひどい場合にはコーン面鳴きによる異常音等の品質不良を発生する。これらの現象は特にコーン７の長径方向の側面部にてよく発生する。
【０００５】
本発明はこのような従来の問題点を解消し、周波数特性や音圧特性に非常に優れたスピーカを提供することを目的とするものである。
【０００６】
【課題を解決するための手段】
上記課題を解決するために本発明のスピーカは、磁気ギャップを有する磁気回路と、この磁気回路に結合されたトラック型もしくは楕円型などの細長型のフレームと、このフレームの周縁に結合されると共に中心部に上記磁気ギャップにはめ込まれるボイスコイルを結合したトラック型の振動板と、上記ボイスコイルのボビンの先端と上記トラック型の振動板の不要共振の発生しやすい長径方向側面部とに結合されるサブコーンとを備え、上記サブコーンの上記トラック型の振動板の不要共振の発生しやすい長径方向の側面部と結合する幅寸法が、上記ボイスコイルのボビンの先端と結合する幅寸法よりも長くなるように構成したものである。
【０００７】
上記構成により、振動板のコーン部の不要共振や面鳴きの発生しやすい部分をサブコーンで補強し、振動を制限してこの不要共振や面鳴きを防止した周波数特性の優れたスピーカを提供することができる。
【０００８】
【発明の実施の形態】
本発明の請求項１に記載の発明は、磁気ギャップを有する磁気回路と、この磁気回路に結合されたトラック型もしくは楕円型などの細長型のフレームと、このフレームの周縁に結合されると共に中心部に上記磁気ギャップにはめ込まれるボイスコイルを結合したトラック型の細長型の振動板と、上記ボイスコイルのボビンの先端と上記トラック型の振動板の不要共振の発生しやすい長径方向側面部とに結合されるサブコーンとを備え、上記サブコーンの上記トラック型の振動板の不要共振の発生しやすい長径方向の側面部と結合する幅寸法が、上記ボイスコイルのボビンの先端と結合する幅寸法よりも長くなるように構成したため、振動板のコーン部の不要共振や面鳴きの発生しやすい部分をサブコーンで補強し、振動を制限してこの不要共振や面鳴きを防止した周波数特性の優れたスピーカを提供できるものである。
【０００９】
請求項２に記載の発明は、サブコーンの端面部を振動板の形状に沿った曲面状としたものであり、組立てやすく、振動板を変形させることがなく安定した特性にできるという作用を有する。
【００１０】
以下本発明の一実施の形態について図１〜図３により説明する。
図１は本発明のスピーカの一実施の形態であるトラック型スピーカの短径方向の断面図であり、図２（ａ）は同要部であるサブコーンの上面図であり、図２（ｂ）は同断面図である。
【００１１】
同図によると、マグネット２１を上部プレート２２および下部プレート２３によりはさみ込んで構成された磁気回路２４の上部プレート２２にトラック型フレーム２６を結合し、このフレーム２６の周縁部にコーン２７をエッジ２８によりクランプしたトラック型の振動板２９を接着し、このトラック型の振動板２９を駆動させるためのボイスコイル３０の中間部をダンパー３１にて中心保持して磁気ギャップ２５にはまり込むようにトラック型の振動板２９の中央部に結合し、前記ボイスコイル３０のボビンの先端と前記トラック型の振動板２９のコーン２７の不要共振や面鳴きの発生しやすい長径方向側面部とを、上記ボイスコイル３０のボビンの先端と結合する幅寸法よりも長くなるように構成したサブコーン３２で結合したものである。
【００１２】
即ち、このサブコーン３２はその中心部３２Ａをボイスコイル３０のボビンの先端に結合し、その反対側の端面部３２Ｃを前記トラック型の振動板２９のコーン２７の不要の共振や面鳴きの発生しやすい長径方向側面部に、上記ボイスコイル３０のボビンの先端と結合する幅寸法よりも長くなるように構成したサブコーン３２で結合する構成としたものであり、サブコーン３２のコーン部３２Ｂはボイスコイル３０のボビンの先端とトラック型の振動板２９のコーン２７の長径方向側面部を結合し、その形状剛性によりコーン２７の不要の共振や面鳴きの発生を抑制する構成としている。
【００１３】
なお、このサブコーン３２はダストキャップを兼ねたものとなっている。
なお、図３（ａ）は本実施形態のサブコーンの展開例の上面図であり、図３（ｂ）は同断面図である。
【００１４】
本展開例は楕円型形状を、その振動板の一部に有するトラック型のスピーカのサブコーンを示し、サブコーン３２ａの端面部３２Ｃａは、その振動板の一部の楕円形状に合せて円弧状としているものである。
【００１５】
なお、３２Ｂａはコーン部であり、３２Ａａは中心部であり、スピーカとしての構成は図２と同様であるので説明は省略する。この構成によりサブコーン３２ａの組立てが容易となり、コーン２７を組立時に変形させて特性劣化を招くといったことが防止できる。
【００１６】
【発明の効果】
以上のように本発明は、サブコーンによりボイスコイルのボビンの先端とトラック型の振動板のコーン長径方向の不要の共振や面鳴きの発生しやすい側面部を、上記ボイスコイルのボビンの先端と結合する幅寸法よりも長くなるように構成したサブコーンで結合することでその形状剛性によりコーンの不要共振や面鳴きの発生を抑制していることから、不要共振や面鳴きから生じる異常音の発生を防止し、さらに周波数特性を非常に安定したものとすることができるものである。
【００１７】
また、振動板の軽量化による音圧レベルの向上、さらにこの応用として周波数特性や音圧特性を自由にコントロールすることができる優れたスピーカを提供することが可能となり、その工業的価値は非常に大なるものである。
【図面の簡単な説明】
【図１】  本発明の一実施の形態のスピーカを示す断面図
【図２】  （ａ）同要部であるサブコーンの上面図
（ｂ）同断面図
【図３】  （ａ）同要部であるサブコーンの展開例の上面図
（ｂ）同断面図
【図４】  従来例のスピーカの断面図
【符号の説明】
２１  マグネット
２２  上部プレート
２３  下部プレート
２４  磁気回路
２５  磁気ギャップ
２６  フレーム
２７  コーン
２８  エッジ
２９  トラック型の振動板
３０  ボイスコイル
３１  ダンパー
３２，３２ａ  サブコーン
３２Ａ，３２Ａａ  中心部
３２Ｂ，３２Ｂａ  コーン部
３２Ｃ，３２Ｃａ  端面部
【図１】
0003823376.tif 000002
【図２】
0003823376.tif 000003
【図３】
0003823376.tif 000004
【図４】
0003823376.tif 000005